(57)【要約】【課題】周囲状況にかかわらず電話端末とリアルタイムに通信可能な通信端末装置を提供すること。【解決手段】本実施形態に係る通信端末装置は、電話網を介して音声端末２と通信可能な通信端末１であって、テキストデータを入力する入力部１１と、前記テキストデータを音声合成により音声信号に変換する音声合成エンジン部１３と、前記音声信号を前記音声端末２に送信し、前記音声端末２からの音声信号を受信する通信インタフェース１５と、前記音声端末２からの音声信号を音声認識によりテキストデータに変換する音声認識エンジン部１４と、前記変換されたテキストデータを表示するディスプレイ部１２とを具備する。【選択図】      図２
2013135334.tif 000002
【特許請求の範囲】
【請求項１】
電話網を介して音声端末と通信可能な端末であって、
テキストデータが入力される入力手段と、
前記テキストデータを音声合成により音声信号に変換する音声合成手段と、
前記音声信号を前記音声端末に送信する送信手段と、
前記音声端末からの音声信号を受信する受信手段と、
前記音声端末からの音声信号を音声認識によりテキストデータに変換する音声認識手段と、
前記音声認識手段により変換されたテキストデータを表示する表示手段と
を具備することを特徴とする通信端末装置。
【請求項２】
前記音声合成手段は、予め登録されたユーザの音声データにより音声合成することを特徴とする請求項１に記載の通信端末装置。
【請求項３】
前記表示手段は、通話開始する場合に、音声合成および音声認識による通話又はユーザが発話することによる通話を選択させる表示を行うことを特徴とする請求項１又は２に記載の通信端末装置。
【請求項４】
前記表示手段は、通話中に、音声合成および音声認識による通話とユーザが発話することによる通話を切り替えるための切替表示を行うことを特徴とする請求項１乃至３の何れか１項に記載の通信端末装置。
【発明の詳細な説明】
【技術分野】
【０００１】
本発明の実施形態は、携帯電話機等の音声端末と通信する通信端末装置に関する。
【背景技術】
【０００２】
携帯電話やスマートフォンなどが普及した昨今、電車内やバス内など通話が禁止されている場所での音声通信が問題となっている。
【０００３】
また、Ｐ２Ｐ技術を利用したインターネット電話サービスも頻繁に使用されており、タブレット端末やパソコン上での音声通話がコミュニケーション手段となっている。
【先行技術文献】
【特許文献】
【０００４】
【特許文献１】特開２００３−１８８９４８号公報
【発明の概要】
【発明が解決しようとする課題】
【０００５】
上述したように、通話が禁止されている場所での音声通信が問題となっている一方、周囲状況にかかわらずリアルタイム通信を行いたいという要望がある。
【０００６】
本実施形態の目的は、周囲状況にかかわらず電話端末とリアルタイムに通信可能な通信端末装置を提供することにある。
【課題を解決するための手段】
【０００７】
本実施形態に係る通信端末装置は、電話網を介して音声端末と通信可能な端末であって、テキストデータが入力される入力手段と、前記テキストデータを音声合成により音声信号に変換する音声合成手段と、前記音声信号を前記音声端末に送信する送信手段と、前記音声端末からの音声信号を受信する受信手段と、前記音声端末からの音声信号を音声認識によりテキストデータに変換する音声認識手段と、前記音声認識手段により変換されたテキストデータを表示する表示手段とを具備するものである。
【図面の簡単な説明】
【０００８】
【図１】本実施形態に係る通信端末装置を備えた通信システムの構成図。
【図２】図１の通信システムの機能を示すブロック図。
【図３】図１の通信システムの動作を示すフローチャート。
【発明を実施するための形態】
【０００９】
以下、図面を参照しながら本実施形態に係る通信端末装置を説明する。  
図１は、本実施形態に係る通信端末装置を備えた通信システムの構成図である。この通信システムは、公衆網、携帯電話網などの電話網に接続可能な、通信端末１と音声端末２を備える。
【００１０】
通信端末１は、例えばタブレット端末などで構成され、キーボード、テンキー、タッチパネル等の入力部１１、液晶などのディスプレイ部１２、音声合成エンジン部１３、音声認識エンジン部１４、および通信インタフェース１５を備える。また、通信端末１は、発話による通話を行うためのスピーカ部及びマイク部を備えるか、スピーカおよびマイクを外部から接続できる端子を備えるようにしてもよい。
【００１１】
音声端末２は、例えば携帯電話などの音声通話可能な端末で構成され、スピーカ２１、マイクロホン（マイク）２２、および通信インタフェース２３を備える。
【００１２】
図２は、この通信システムの機能を示すブロック図である。図３は、この通信システムの動作を示すフローチャートである。ここでは、通信端末１が行う音声端末２との音声通話を、テキスト入力により通話を行う場合について説明する。なお、テキスト入力による通話を、以下、テキスト通話と称し、通常のユーザが発話することによる通話を、音声通話と称する。以下、本実施形態の動作を以下に説明する。
【００１３】
通信端末１は、通話開始時に、音声端末２との通話を、テキスト通話又は音声通話の何れかで行うかを選択する。このとき、通話端末１のディスプレイ部１２には、テキスト通話又は音声通話の何れかを選択するためのボタン表示またはその選択のための動作、例えばテキスト通話の場合はキ―ボードの「１」を、音声通話の場合はキーボードの「２」を押す、等を表示したりし、入力部１１を用いたユーザの動作によりそのボタンをクリック（タッチ）やキーボード入力等により、テキスト通話または音声通話を選択させる。ここではテキスト通話を選択した場合を説明する。
【００１４】
通信端末１のユーザＡは、入力部１１から音声端末２のユーザＢに話したい内容をテキスト入力し、音声信号化要求を行う（ステップＳ１０１）。
【００１５】
音声合成エンジン部１３は、入力されたテキストを音声信号に変換し、通信インタフェース１５により電話網を介して音声端末Ｂに送信する（ステップＳ１０２）。なお、音声合成エンジン部１３にユーザＡの声の音声データを予め登録しておけば、ユーザＡ自身の声で話しているような音声信号に変換することができる。
【００１６】
音声端末２では、通信インタフェース２３により受信された音声信号をスピーカ部２１により音声出力する（ステップＳ１０３）。ユーザＢによりマイク部２２から入力された音声信号を電話網を介して通信端末１に送信する（ステップＳ１０４）。
【００１７】
通信端末１の音声認識エンジン部１４は、通信インタフェース１５により受信された音声信号をテキスト化し、ディスプレイ部１２に表示させる（ステップＳ１０５）。
【００１８】
上記ステップＳ１０１〜Ｓ１０５までの処理を繰り返すことで、通信端末１と音声端末２との間でリアルタイム通信を実現することができる。
【００１９】
以上述べたように、上記実施形態では、タブレット端末等の通信端末に音声合成エンジンおよび音声認識エンジンを搭載し、電話網を介して電話端末との間でリアルタイム通信を可能にする。これにより、周囲状況にかかわらずリアルタイム通信を行うことができるため、業務効率や通信性を高めたり、通話禁止場所での音声通話機会を抑える効果がある。
【００２０】
（他の実施形態１）  
上記実施形態の通信端末１には、通話が禁止されている場所からユーザが移動した場合に、上記のようなテキスト通話から音声通話へ切り替えることができるようにしてもよい。その場合、通信端末１のディスプレイ部１２は、音声通話へ切り替えるボタンを表示したり、その切り替えのための動作、例えばキ―ボードの「２」を入力等、を表示したりし、入力部１１を用いたユーザの動作によりそのボタンをクリック（タッチ）やキーボード入力等により、テキスト通話から音声通話へ切り替える。こうすることにより、通話禁止場所での音声通話機会を抑える効果に加え、音声通話が可能な状況になった場合に、通話の途中でも、音声通話へ変更できるようにすることで、テキスト入力よりさらにレスポンスが速い、且つテキスト入力の手間を省くことができるようになる。
【００２１】
（他の実施形態２）  
通信端末１が音声通話を行っている最中に、通話が禁止されている場所へユーザが移動した場合に、上記のような音声通話からテキスト通話へ切り替えることができるようにしてもよい。その場合、通信端末１のディスプレイ部１２は、テキスト通話へ切り替えるボタンを表示したり、その切り替えのための動作、例えばキ―ボードの「１」を入力等、を表示したりし、入力部１１を用いたユーザの動作によりそのボタンをクリック（タッチ）やキーボード入力等により、音声通話からテキスト通話へ切り替える。こうすることにより、音声通話の最中に通話禁止場所へユーザが移動した場合であっても、音声通話機会を抑えることができる。
【００２２】
なお、いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２３】
１…通信端末、１１…入力部、１２…ディスプレイ部、１３…音声合成エンジン部、１４…音声認識エンジン部、１５…通信インタフェース、２…携帯電話端末、２１…スピーカ部、２２…マイク部、２３…通信インタフェース。
【図１】
2013135334.tif 000003
【図２】
2013135334.tif 000004
【図３】
2013135334.tif 000005